(57)【要約】【課題】複数のドライブを備えるディスクパブリッシャにおいては、１つのドライブに不具合が生じてもディスクパブリッシャの装置全体にその影響が及ぶ。【解決手段】複数のドライブを備えるディスクパブリッシャ１において最後に利用されたドライブ３の番号を最終書込みドライブ番号保存部６に保存し、次のドライブ書込み作業においては、次の番号のドライブを選択する。これにより、各ドライブの利用度が平均化され、もって各ドライブにかかる負担が平均化される。【選択図】図１
2007188548.tif 000002
【特許請求の範囲】
【請求項１】
複数の書込み用のドライブを備えるディスクパブリッシャであって、前記各ドライブの利
用度を平均化する平均化手段を備える、ことを特徴とするディスクパブリッシャ。
【請求項２】
前記ドライブには連番が付与され、
前記平均化手段は、
該連番の順に前記ドライブを指定する書込み制御装置と、
最後に使用された前記ドライブの番号を保存する保存装置と、
次回の書込み開始時に、前記保存装置に保存されている番号の次の番号のドライブを指
定する書込み開始制御装置と、
を備える、ことを特徴とする請求項１に記載のディスクパブリッシャ
【請求項３】
前記平均化手段は、前記ドライブのトレイ開閉回数をカウントし、当該開閉回数を保存す
る開閉回数保存装置と、
該開閉回数保存装置に保存されているトレイの開閉回数を参照して、該開閉回数が最小
のドライブを指定する書込み制御装置と、
を備える、ことを特徴とする請求項１に記載のディスクパブリッシャ。
【請求項４】
前記書込み制御装置は、空き状態の前記ドライブにおいて開閉回数が最小のドライブを指
定する、ことを特徴とする請求項３に記載のディスクパブリッシャ。
【発明の詳細な説明】
【技術分野】
【０００１】
この発明はディスクパブリッシャに関する。
【背景技術】
【０００２】
ディスクパブリッシャには複数の未記録ディスク（ＣＤ−ＲやＤＶＤ−Ｒなど）が予め
準備されており、ユーザの命令に応じてこの未記録ディスクを情報書込み用ドライブへ挿
入して当該未記録ディスクの情報記録面へディジタル情報を書き込む。当該書込み処理が
終了したディスクはドライブから取出されてストックされる。以上の一連の動作は自動的
に行なわれる。
またこのディスクパブリッシャにはディスクのレーベル面へ印刷を施す機能を有するも
のもある。
このように、要求されるディスク処理のスループットに応じてディスクパブリッシャに
は複数の情報書込み用ドライブが設置されている。
以上、ディスクパブリッシャの従来例として特許文献１を参照されたい。
また、本件発明に関連する文献として特許文献２を参照されたい。
【０００３】
【特許文献１】特開２０００−２６０１７２号公報
【特許文献２】特開２００４−９４３５号公報
【発明の開示】
【発明が解決しようとする課題】
【０００４】
本発明者らはディスクパブリッシャの耐久性について検討を重ねてきたところ、ディス
クパブリッシャを構成する要素において情報書込み用ドライブの消耗が最も進みやすいこ
とに気が付いた。即ち、情報書込み用ドライブがディスクパブリッシャの耐久性を律して
いることでなる。特に、複数のドライブを備えるディスクパブリッシャにおいては、１つ
のドライブに不具合が生じてもディスクパブリッシャの装置全体にその影響が及ぶことと
なる。
そこでこの発明は、情報書込み用ドライブにかかる負荷を平均化することにより、個別
のドライブに過負荷がかかることを防止し、もってディスクパブリッシャの装置全体とし
ての長寿命化を図ることを目的とする。
【課題を解決するための手段】
【０００５】
この発明は上記課題を解決すべくなされたものであり、その第１の局面は次のように規
定される。即ち、
複数の書込み用のドライブを備えるディスクパブリッシャであって、前記各ドライブの
利用度を平均化する平均化手段を備える、ことを特徴とするディスクパブリッシャ。
このように構成されたディスクパブリッシャによれば、複数ある情報書込み用ドライブ
の利用度が平均化されるので、各ドライブに掛かる負荷も平均化する。よって、各ドライ
ブの寿命も平均化され、ある１つのドライブの寿命が短くなることによるディスクパブリ
ッシャ全体の短寿命化を防止することができる。
【０００６】
第２の局面の発明は次のように規定される。即ち、
第１の局面のディスクパブリッシャにおいて、前記ドライブには連番が付与され、前記
平均化手段は、該連番の順に前記ドライブを指定する書込み制御装置と、最後に使用され
た前記ドライブの番号を保存する保存装置と、次回の書込み開始時に、前記保存装置に保
存されている番号の次の番号のドライブを指定する書込み開始制御装置と、を備える。
このように構成されたディスクパブリッシャによれば、ドライブがその番号の順番どお
りに利用される。よって、特定の番号のドライブに利用が集中することを避けることがで
き、各ドライブに掛かる負荷が平均化される。
【０００７】
第３の局面の発明は次のように規定される。即ち、
第１の局面のディスクパブリッシャにおいて、前記平均化手段は、前記ドライブのトレ
イ開閉回数をカウントし、当該開閉回数を保存する開閉回数保存装置と、該開閉回数保存
装置に保存されているトレイの開閉回数を参照して、該開閉回数が最小のドライブを指定
する書込み制御装置と、を備える。
ドライブの利用頻度はトレイ開閉回数と実質的に等しい。よって、このように構成され
たディスクパブリッシャによれば、特定のドライブに利用が集中することを避けることが
でき、各ドライブにかかる負荷が平均化される。
【０００８】
なお、第２の局面においては、ドライブ処理速度（倍速）や書込まれる情報量の如何に
かかわらず、ドライブに付された番号の順にドライブが利用される。換言すれば、次に利
用されるべきドライブが使用中であり、他方、順番上は利用されるべきではないドライブ
の書込み処理が終了している場合においても、後者を使用することができない。そこで、
第４の局面のように待ち状態のドライブの中からトレイの開閉回数が最も少ないものを指
定してこのドライブを使用するようにすれば、ディスクパブリッシャとして高いスループ
ットを維持しつつ、ドライブの利用頻度の平均化を図ることができる。
【発明を実施するための最良の形態】
【０００９】
以下、この発明を構成する各要素について説明する。
ディスクパブリッシャは、未記録ディスク（ＣＤ−ＲやＤＶＤ−Ｒなど）を保持するデ
ィスク供給部、未記録ディスクの情報記録面へディジタル情報を記録するドライブ、記録
されたディスクを保存するストック部及びディスクの搬送機構を備えてなる。更には、デ
ィスクのレーベル面へ印刷を施すレーベル印刷部を備えることもできる。
ストック部に存在するディスクの枚数は、ストック部に対するディスクの入量とストッ
ク部からのディスクの出量をモニタリングして両者の差分をとることにより、検知するこ
とが出来る。
【００１０】
ドライブの利用度を平均化する平均化手段の一つの態様として、ドライブに付された番
号の順番に当該ドライブを指定していく方式がある。この場合、最後に使用したドライブ
を特定し、そのドライブの番号の次の番号をもつドライブが指定される。かかるドライブ
の指定は制御プログラムを用いてソフト的に行なってもよいし、またリレースイッチ等を
用いてハード的に行なってもよい。
また、ドライブのトレイの開閉回数に基づきドライブの利用度を平均化することもでき
る。ドライブのトレイの開閉回数はトレイ若しくはその駆動機構にセンサを付設してその
センサ出力に基づきカウントすることができる。センサの方式は特に限定されず、トレイ
若しくはその駆動機構に接触する機械的なセンサや、非接触式の光学センサを用いること
ができる。また、センサの代りに、トレイの駆動機構に印加される電気信号を検出するこ
とにより、トレイの開閉回数をカウントすることも可能である。
カウントされた開閉回数はドライブ毎に保存され、次に使用するドライブを指定すると
きに参照される。
【実施例】
【００１１】
以下、この発明を実施例に基づき更に詳細に説明する。
（第１実施例）
図１は第１の実施例のディスクパブリッシャ１の概略構成図である。
このディスクパブリッシャ１はディスクパブリッシャ本体２と制御部４とから大略構成
される。ディスクパブリッシャ本体２にはｎ台（実施例では３台）の情報書込み用ドライ
ブ３が備えられ、各ドライブには連番１〜ｎが付されている。
制御部４は最終書込みドライブ番号保存部６が備えられる。制御部４のアプリケーショ
ンプログラム５は当該ドライブ番号保存部６から最終書込みドライブ番号Ｘを取得して、
次の番号Ｘ＋１のドライブを指定し、書込み処理を実行する。
【００１２】
ディスクパブリッシャ１の詳細構成を図２及び図３に示す。
図２はディスクパブリッシャの本体２０を示す。未記録ディスクＣＤはディスク供給部
２１に積層保持されており、この未記録ディスクＣＤはトランスファー装置２３により取
出される。トランスファー装置２３はクランパ２４により未記録ディスクＣＤを着脱可能
とする。未記録ディスクＣＤは書込みドライブ２５−１〜２５−３のいずれかへ挿入され
、その情報記録面へディジタル情報が書込まれる。書込み処理の終了したディスクは書込
みドライブから取出されて、レーベルプリンタ２７へ挿入され、そのレーベル面へ印刷が
施される。
レーベル印刷が終了したディスクはストック部２９へ積層される。ストック部２９には
蓋部３１が付設されており、書込み処理終了後のディスクの不正取出しを防止している。
【００１３】
ディスクパブリッシャの制御系を図３に示す。
制御部４０はＣＰＵを備え、プログラム保存部５１に保存されている制御プログラムに
従い各要素を制御する。
カードリーダ４１へ利用者のＩＤカードが通される。カードリーダ４１よりＩＤカード
に保存されている情報が読み出されてその利用者が特定される。特定された利用者が作成
したディスクがストック部２９に存在する場合、当該ディスクがストック部２９より取出
される。
ランプ４５は第１の制御信号に応じて点灯（若しくは点滅）する。これにより、ストッ
ク部２９における作成済みディスクの枚数が所定のしきい値を超えたとき、ランプ４５が
点灯して、作成済みディスクの滞留量が多くなった旨を利用者全員に知らせる。
【００１４】
符号４７はネットワークインターフェースであり、管理者用のＰＣからなるクライアン
ト１０、ディスク作成用のクライアント９Ａ〜９Ｎが接続されている。
保存部５０はプログラム保存部５１を備え、このプログラム保存部５１には制御装置４
０のＣＰＵを動作させる制御プログラムが保存されている。
メッセージ保存部５４にはクライアントへ送信する各種のメッセージが保存されている
。
この実施例のディスクパブリッシャでは、ディスクが作成されるにつれ、下記表１のよ
うにディスクの作成及びその取出し履歴が記録されて処理履歴保存部５３に保存される。
【表１】
2007188548.tif 000003
【００１５】
表１においては作成者により取出された日時も記録される。更には、管理者が強制的に
ストック部２９からディスクを取出したか否か及び管理者が取出したときにはその日時も
記録される。
そして、処理ディスクの通算枚数（＝処理ディスクＮｏ．）より当該処理ディスクＮｏ
．までの作成者取出枚数（ΣＹ）及び管理者取出枚数（ΣＹ）を減算すると、ストック部
２９に残存するディスクの枚数が特定される。表１の右端欄を参照されたい。
【００１６】
ストック部２９に存在する作成済みディスクの枚数ｍと予め定められた第１のしきい値
ＭＴ１とを比較する。この実施例ではストック部２９のディスク容量が５０枚であるので
、ストック部２９における作成済みディスクの残存枚数がその８０％（＝４０枚）となっ
たとき、第１の制御信号が生成される。しきい値の値は入力部４３を介して任意に設定可
能である。
この第１の制御信号により、ランプ４５が点灯する。更には、第１の制御信号に応じた
第１のメッセージがメッセージ保存部５４から読み出されて、利用者用のクライアント９
Ａ〜９Ｎへメールとして発信される。第１のメッセージは利用者全員に作成済みディスク
の取出しを要求するものである。
【００１７】
ディスク作成者である利用者がストック部２９よりディスクを取出すときには、作成者
のＩＤを特定できるカードをカードリーダ４１に読取らせる。例えば、表１の状態におい
て作成者ＡがそのＩＤカードをカードリーダ４１へ通すと、制御部４０は処理履歴保存部
５３に保存されている表１の関係を参照し、作成者がＡであり、作成者取出及び管理者取
出がいずれも「Ｎ」であるディスクＮｏ．を抽出する。当該ディスクは、ストック部２９
に存在するディスクの上から数えて、該当するディスクの残存枚数の値「ｍ」番目に存在
する。
この状態で、入力部４３を介して取出確認コマンドが入力されたとき、蓋部３１を開放
して、トランスファー装置２３により当該上からｍ番目のディスクを取出すこととなる。
【００１８】
次にこの実施例のディスクパブリッシャの動作について、図４を参照しながら、説明す
る。
ステップ１において書込み指令として、利用者のクライアントからディスクを作成する
旨のコマンドとディスクに記録すべきコンテンツがディスクパブリッシャに送信される。
制御部４０は情報保存装置５０の最終書込みドライブ番号保存部５６から最後に使用され
たドライブの番号Ｘを読み出し（ステップ３）、次に使用すべきドライブの番号を更新す
る（ステップ５）。ステップ５の更新においては、最後に使用されたドライブの番号の次
の番号（Ｘ＋１）が指定される。なお、書込みドライブの番号が最終番号（図１の例でｎ
）のときは、最初の番号（図１の例では１）に戻る。
【００１９】
ステップ７では、ステップ５において更新されたドライブの番号Ｘが指定され、ステッ
プ９においてディスクの処理がなされる。このステップ９では、トランスファー装置２３
を駆動させて未記録ディスクを指定された番号Ｘのドライブへ運ぶ。そして、指定された
ディスクのトレイを開放し、そこへ未記録ディスクを挿入する。クライアントから送信さ
れたコンテンツが未記録ディスクへ書込まれると、ドライブが開放される。トランスファ
ー装置２３は開放されたドライブからディスクを取出す。このときのドライブの番号が最
終書込みドライブ番号Ｘとして最終書込みドライブ番号保存部５６に保存される（ステッ
プ１１）。
ドライブから取出されたディスクは、トランスファー装置によりレーベルプリンタ２７
へ運ばれる。レーベルプリンタ２７ではディスクのレーベル面へ印刷が施される。この印
刷の内容もクライアントから指定することができる。
上記の動作は、ディスクパブリッシャに終了コマンドが入力されるまで繰り返される（
ステップ１３）。
【００２０】
（第２実施例）
図５に他の実施例のディスクパブリッシャ６０の概略構成を示す。図５において図１と
同一の要素には同一の要素を付してその説明を省略する。
この実施例では制御部６４がドライブトレイ開閉回数保存部６６を備え、当該保存部に
は各ドライブのトレイの開閉回数が保存されている。制御部６４のアプリケーションプロ
グラム６５はドライブトレイ開閉回数保存部６６に保存されている各ドライブのトレイの
開閉回数を参照してそのうちで最も開閉回数が少ないドライブを指定し、書込み処理を実
行する。
【００２１】
この実施例のディスクパブリッシャの詳細構成を図６及び図７に示す。なお、図６及び
図７において図２及び図３と同一の要素には同一の符号を付してその説明を省略する。
図６に示すとおり、この実施例のディスクパブリッシャ本体７０においては、各書込み
ドライブ２５−１〜２５−３にそれぞれトレイ開閉センサ７１が付設されている。トレイ
開閉センサ７１は、各ドライブ２５−１〜２５−３のトレイの駆動機構に接合されたスイ
ッチとすることができ、トレイの開閉に伴い信号を出力する。制御部４０はこの信号を受
け取ると、トレイ開閉回数保存部７６に保存されているデータを更新する。
【００２２】
トレイ開閉回数保存部７６には、例えば表２に示す関係が保存されている。トレイの開
閉に伴いトレイ開閉回数の値が１つ加算されていく。表２において、書込み可否の欄は、
ドライブでディスクが処理中のときや他の処理のために予約されているとき、またはドラ
イブが故障中のときなどに、使用不可「×」とされる。
【表２】
2007188548.tif 000004
【００２３】
次に、この実施例のディスクパブリッシャの動作について、図８を参照しながら、説明
をする。
ステップ２１で書込み指令が入力される。このとき、利用者のクライアントからディス
クを作成する旨のコマンドとディスクに記録すべきコンテンツがディスクパブリッシャに
送信される。
制御部４０は、トレイ開閉回数保存部７６に保存されている表２の関係を参照し、書込
み可能なドライブを抽出する（ステップ２３）。表２の例では、ドライブ１はディスクを
処理中なので、書込み不能「×」とされている。従って、当該ステップ２３では、空のド
ライブ２及び３が選択される。
【００２４】
続いてステップ２５では、ステップ２３で抽出されたトレイのうちその開閉回数が最小
なものを選択する。この実施例ではトレイ３が選択されることとなる。
ステップ２７では、ステップ２５により選択されたトレイ３へ未記録ディスクが挿入さ
れて処理される。トレイへディスクが挿入されている間は表２の書込み可否の欄は使用不
可「×」となる。クライアントから送信されたコンテンツが未記録ディスクへ書込まれる
と、ドライブが開放され（表２の書込み可否は使用可「○」となる）、トランスファー装
置２３によりレーベルプリンタ２７へ送られる。
【００２５】
上記において、ドライブのトレイが開閉される毎に開閉センサ７１から信号が出力され
て、表２のトレイ開閉回数の値が１つずつ繰り上がる。これによりトレイの開閉回数が平
均化されることとなる。
上記の動作は、ディスクパブリッシャに終了コマンドが入力されるまで繰り返される（
ステップ３１）。
トレイの開閉回数の頻度はドライブの使用頻度に実質的に等しいので、この実施例のよ
うにトレイの開閉回数を平均化することにより、ドライブの利用度も平均化される。
【００２６】
この発明は、上記発明の実施の形態及び実施例の説明に何ら限定されるものではない。
特許請求の範囲の記載を逸脱せず、当業者が容易に想到できる範囲で種々の変形態様もこ
の発明に含まれる。
【図面の簡単な説明】
【００２７】
【図１】図１はこの発明の第１の実施例のディスクパブリッシャの概略構成を示す。
【図２】図２は同じくディスクパブリッシャ本体の正面図である。
【図３】図３は同じくディスクパブリッシャの制御系を説明するためのブロック図である。
【図４】図４は第１の実施例のディスクパブリッシャの動作を示すフローチャートである。
【図５】図５はこの発明の第２の実施例のディスクパブリッシャの概略構成を示す。
【図６】図６は同じくディスクパブリッシャ本体の正面図である。
【図７】図７は同じくディスクパブリッシャの制御系を説明するためのブロック図である。
【図８】図８は第２の実施例のディスクパブリッシャの動作を示すフローチャートである。
【符号の説明】
【００２８】
１，６０  ディスクパブリッシャ、  ２，２０，７０  ディスクパブリッシャ本体、  ３
書込みディスク、  ４,６４  制御部、  ６,５６  最終書込みドライブ保存部、  ９Ａ
，９Ｂ，９Ｃ  利用者用クライアント、  １０  管理者用クライアント、  ２１  ディス
ク供給部、  ２３  トランスファー装置、  ２９  ストック部、  ４０  制御部
【図１】
2007188548.tif 000005
【図２】
2007188548.tif 000006
【図３】
2007188548.tif 000007
【図４】
2007188548.tif 000008
【図５】
2007188548.tif 000009
【図６】
2007188548.tif 000010
【図７】
2007188548.tif 000011
【図８】
2007188548.tif 000012